(57)【要約】【課題】  未登録の相手先からの不在着信の履歴表示に基づいてかけられた電話のトラブルを未然に防ぐ実効性を高くする携帯電話機を提供すること。【解決手段】  不在着信履歴表示の操作がなされると（Ｓ５１：ＹＥＳ）、不在着信の電話番号が登録ファイル内にある場合には（Ｓ５４：ＹＥＳ）、登録ファイルから当該電話番号に対応する名前を探し出し（Ｓ５５）、不在着信の電話番号が登録ファイル内にない場合には（Ｓ５７：ＹＥＳ）、インターネット上でアクセスしたデータベース・サーバから当該電話番号に対応する名前を探し出し（Ｓ５８）、探し出された名前を当該電話番号とともに不在着信履歴に表示する（Ｓ６４）。【選択図】  図９
2006295633.tif 000002
【特許請求の範囲】
【請求項１】
一又は複数の電話番号情報と当該電話番号情報の相手先が特定できる付加情報とが対応して保存された内部メモリと、
前記内部メモリ内に不在着信の電話番号情報の存在があるか否かを判定する判定手段と、
前記判定手段で存在があると判定する場合には当該不在着信の電話番号情報に対応する付加情報を前記内部メモリから探し出す内部検索手段と、
前記判定手段で存在がないと判定する場合には、外部データベース・サーバにアクセスして当該不在着信の電話番号情報を送信することにより、当該不在着信の電話番号情報の相手先が特定できる付加情報についての検索結果を前記外部データベース・サーバから受信する通信手段と、
前記内部検索手段で探し出された付加情報又は前記通信手段で受信した検索結果に含まれる付加情報を用いて不在着信の履歴表示を行う不在着信表示手段と、
前記不在着信表示手段を実行させる操作手段と、を備えたこと、を特徴とする携帯電話機。
【請求項２】
請求項１に記載する携帯電話機であって、
前記通信手段はウェブ上のデータベース・サービスに前記外部データベース・サーバとしてアクセスすること、を特徴とする携帯電話機。
【発明の詳細な説明】
【技術分野】
【０００１】
本発明は、予め登録された電話番号から相手先の名前を検索する携帯電話機に関するものである。
【背景技術】
【０００２】
従来より、予め登録された電話番号から相手先の名前を検索することが可能な技術としては、例えば、特許文献１〜４に記載された各装置がある。これらの装置においては、電話番号と名前を対応付けて予め登録しておき、受信・着信・通信時に通知される相手方の電話番号から予め登録された電話番号を検索し、該当するものがあれば、その電話番号に対応した名前を表示している。
【特許文献１】特開平１１−１３６３４５号公報
【特許文献２】特開平８−１８１７６４号公報
【特許文献３】特開平７−４４８８６号公報
【特許文献４】特開平５−２１９１７４号公報
【０００３】
従って、受信・着信・通信に対する名前が表示された場合には、応答などをしなくても、相手先を容易に確認することができる。
【発明の開示】
【発明が解決しようとする課題】
【０００４】
しかしながら、受信・着信・通信に対する名前が表示されない場合には、通知された電話番号だけでは、相手先を特定することは困難であることが多い。そのため、相手先を確かめたいユーザは、相手先が不明確であるにもかかわらず、通知された電話番号に電話をかけることがあり、このとき、例えば、相手先が悪徳業者であると、この電話からトラブルを招くことになる。
【０００５】
そこで、本発明は、上述した点を鑑みてなされたものであり、未登録の相手先からの不在着信の履歴表示に基づいてかけられた電話のトラブルを未然に防ぐ実効性を高くする携帯電話機を提供することを課題とする。
【課題を解決するための手段】
【０００６】
この課題を解決するために成された請求項１に係る発明は、携帯電話機（例えば、携帯電話機１）であって、一又は複数の電話番号情報と当該電話番号情報の相手先が特定できる付加情報とが対応して保存された内部メモリ（例えば、内部メモリ１９）と、前記内部メモリ（例えば、内部メモリ１９）内に不在着信の電話番号情報の存在があるか否かを判定する判定手段（例えば、制御部１１，Ｓ５４，Ｓ５７）と、前記判定手段（例えば、制御部１１，Ｓ５４：ＹＥＳ）で存在があると判定する場合には当該不在着信の電話番号情報に対応する付加情報を前記内部メモリ（例えば、内部メモリ１９）から探し出す内部検索手段（例えば、制御部１１，Ｓ５５）と、前記判定手段（例えば、制御部１１，Ｓ５７：ＹＥＳ）で存在がないと判定する場合には、外部データベース・サーバ（例えば、外部データベース・サーバ２００）にアクセスして当該不在着信の電話番号情報を送信することにより、当該不在着信の電話番号情報の相手先が特定できる付加情報についての検索結果を前記外部データベース・サーバ（例えば、外部データベース・サーバ２００）から受信する通信手段（例えば、制御部１１，Ｓ５８）と、前記内部検索手段（例えば、制御部１１，Ｓ５５）で探し出された付加情報又は前記通信手段（例えば、制御部１１，Ｓ５８）で受信した検索結果に含まれる付加情報を用いて不在着信の履歴表示を行う不在着信表示手段（例えば、制御部１１，Ｓ６４）と、前記不在着信表示手段を実行させる操作手段（例えば、制御部１１，Ｓ５１：ＹＥＳ）と、を備えたこと、を特徴としている。
【０００７】
ここで、「当該電話番号情報の相手先が特定できる付加情報」には、例えば、名前（氏名・会社名）、住所、イメージ画像などがある。
【０００８】
また、請求項２に係る発明は、請求項１に記載する携帯電話機（例えば、携帯電話機１）であって、前記通信手段（例えば、制御部１１，Ｓ５８）はウェブ上のデータベース・サービスに前記外部データベース・サーバ（例えば、外部データベース・サーバ２００）としてアクセスすること、を特徴としている。
【発明の効果】
【０００９】
すなわち、本発明の携帯電話機では、不在着信の電話番号情報の相手先が特定できる付加情報は内部メモリになければ外部データベース・サーバから探し出されるので、未登録の相手先からの不在着信があっても、不在着信の履歴表示の際に判明できるケースが多くなり、不在着信の履歴表示に基づいてかけられた電話のトラブルを未然に防ぐ実効性が高くなる。
【発明を実施するための最良の形態】
【００１０】
以下、本発明の実施の形態に係る携帯電話機を図面を参照にして説明する。
図２は、本実施形態に係る携帯電話機１の通信システムを示したブロック図である。図２に示すように、本実施形態に係る携帯電話機１は、表示部１６と操作部１７とが配設されているとともに、アンテナ２０が突設されている。
【００１１】
また、本実施形態に係る携帯電話機１は、携帯電話基地局１００と通信することにより、ネットワークＮを介して、無線電話やウェブ上のサービスを受けることができ、特に、ここでは、インターネット上のデータベース・サーバ２００にアクセスすれば、電話番号から相手先を検索できるウェブ上のデータベース・サービスを受けることができる。
【００１２】
図３は、本実施形態に係る携帯電話機１を示したブロック図である。図３に示すように、本実施形態に係る携帯電話機１は、制御部１１と、無線部１２、音声部１３、ＲＯＭ１４、ＲＡＭ１５、表示部１６、操作部１７、時計・カレンダー情報部１８、内部メモリ１９などを有している。
【００１３】
制御部１１は、無線部１２や、音声部１３、ＲＯＭ１４、ＲＡＭ１５、表示部１６、操作部１７、時計・カレンダー情報部１８、内部メモリ１９などの各構成要素を制御するものであり、アナログ・ベースバンド処理部やデジタル・ベースバンド処理部・ＣＰＵなどから構成されている。
【００１４】
無線部１２は、携帯電話基地局１００（図２参照）と無線接続するものであり、外部に突設したアンテナ２０に接続されている。
音声部１３は、音声信号から音声（音波）への変換又は音声（音波）から音声信号への変換を行うものであり、スピーカやマイクロフォンなどから構成される。
【００１５】
ＲＯＭ１４は、後述するフローチャートを動作させるための演算プログラムなどが格納されている不揮発性の読出し専用メモリである。
ＲＡＭ１５は、制御部１１で演算された各種データを一時的に記憶しておくメモリである。
【００１６】
表示部１６は、携帯電話機１に関する各種の情報を表示するものであり、ＬＣＤやＬＣＤドライバなどから構成される。
操作部１７は、携帯電話機１に関する各種の情報を入力するものであり、複数の各種ボタンが配設された構成になっている（図１参照）。
時計・カレンダー情報部１８は、西暦・日付・時刻などの情報を処理するものである。
【００１７】
内部メモリ１９は、携帯電話機１に関する各種の情報を記憶するフラッシュ・メモリであり、ここでは、例えば、登録ファイル３１や、着信通話履歴ファイル４１、不在着信履歴ファイル５１などが記憶されている。尚、内部メモリ１９の構成は、内蔵されたメモリに限るものでなく、スロットに挿入されるメモリ・モジュールであってもよい。
【００１８】
図４は、内部メモリ１９（図３参照）に記憶されている登録ファイル３１の一例を示した図である。図４に示すように、登録ファイル３１は、予め確保された５００個のレコード３２から構成されており、各レコード３２には、登録番号が予め格納されているフィールド３３と、名前が格納されるフィールド３４、電話番号が格納されるフィールド３５が設けられている。尚、登録ファイル３１に対して名前・電話番号をそれぞれ格納させる操作は、後述するフローチャートで説明する。
【００１９】
図５は、内部メモリ１９（図３参照）に記憶されている不在着信履歴ファイル５１の一例を示した図である。図５に示すように、不在着信履歴ファイル４１では、各レコード５２において、日付が格納されるフィールド５３と、時刻が格納されるフィールド５４、電話番号が格納されるフィールド５５が設けられている。但し、説明の便宜上、図示はしていないが、発信者番号通知で相手の電話番号を取得できない場合には、フィールド５５に電話番号が格納されない。尚、新たに設けられたレコード５２の各フィールド５３〜５５に日付・時刻・電話番号がそれぞれ格納されることにより、不在着信履歴ファイル５１が形成されていく過程は、後述するフローチャートで説明する。
【００２０】
また、内部メモリ１９（図３参照）に記憶されている着信通話履歴ファイル４１についても、図５に示す不在着信履歴ファイル４１と同様な構成を有し、着信した電話に応答したか否かの点は異なるが、図５に示す不在着信履歴ファイル４１と同様な同様な過程で形成されていく。
【００２１】
図６は、不在着信履歴ファイル５１（図５参照）から作成されたイメージ用ファイル６１の一例を示した図である。イメージ用ファイル６１は、表示部１６（図３参照）のＬＣＤに表示されるイメージデータの基になるデータ集合体であり、ＲＡＭ１５（図３参照）において一時的に作成される。図６に示すように、イメージ用ファイル６１には、各レコード６２において、日付が格納されるフィールド６３、時刻が格納されるフィールド６４、「ｉ」又は「検索不可」の文字が格納されるフィールド６６、名前が格納されるフィールド６７、電話番号が格納されるフィールド６５が設けられており、各レコード６２及び各フィールド６３〜６５（フィールド６６，６７は除く）は、不在着信履歴ファイル５１の各レコード５２及び各フィールド５３〜５５にそれぞれ対応している（図５参照）。従って、説明の便宜上、図示はしていないが、発信者番号通知で相手の電話番号を取得できない場合には、フィールド６５に電話番号が格納されない。尚、イメージ用ファイル６１に対して日付・時刻・「ｉ」又は「検索不可」の文字・名前・電話番号がそれぞれ格納されていく過程は、後述するフローチャートで説明する。
【００２２】
図１は、イメージ用ファイル６１（図６参照）のイメージデータが格納されたイメージバッファ７１を示す図である。イメージバッファ７１は、ＲＡＭ１５（図３参照）の一部を使用するか又は、表示部１６（図３参照）のＬＣＤドライバなどに専用のメモリを設けることによって確保される。図１の符号１６Ｅで示す二点鎖線は、表示部１６（図３参照）のＬＣＤの表示枠を示しており、この表示枠１６Ｅ内に表示された文字（数字・記号なども含む。以下、同じ）により、不在着信履歴が表示されることになる。尚、説明の便宜上、図示はしていないが、発信者番号通知で相手の電話番号を取得できない場合には、電話番号は表示されない。
【００２３】
次に、本実施形態に係る携帯電話機１で行われる登録ファイル作成処理プログラムについて図７に基づき説明する。図７は、本実施形態に係る携帯電話機１で行われる登録ファイル作成処理プログラムのフローチャートである。尚、本プログラムはＲＯＭ１４に記憶されており、制御部１１により読み出されて実行される。
【００２４】
登録ファイル作成処理プログラムでは、図７に示すように、先ず、Ｓ１１において、名前・電話番号の登録を開始する操作が行われたか否かを判定する。尚、登録開始の操作は、操作部１７を構成するボタンを介してユーザが行う。ここで、登録開始の操作が行われていないと判定したときは（Ｓ１１：ＮＯ）、何もすることなく、登録ファイル作成処理プログラムを終了する。一方、登録開始の操作が行われたと判定したときは（Ｓ１１：ＹＥＳ）、Ｓ１２に進む。
【００２５】
Ｓ１２では、操作部１７を構成するボタンを介して、ユーザにより、名前・電話番号の入力が行われる。このとき、入力された名前・電話番号は、ＲＡＭ１５に一時的に記憶されるとともに表示部１６のＬＣＤに表示される。
【００２６】
その後、Ｓ１３に進むと、操作部１７を構成するボタンを介して、ユーザにより、登録番号の入力が行われる。このとき、入力された登録番号は、ＲＡＭ１５に一時的に記憶されるとともに表示部１６のＬＣＤに表示される。尚、登録番号の入力は、ここでは、登録ファイル３１の構成の関係上、０〜４９９の範囲内で任意に行われる。
【００２７】
その後、Ｓ１４に進むと、Ｓ１２及びＳ１３で入力された事項が正しいか否かを判定する。このとき、入力事項の正否は、表示部１６のＬＣＤに表示されている入力事項をユーザが確認しながら判断し、操作部１７を構成するボタンを介して伝えられる。ここで、入力事項が正しくないと判定したときは（Ｓ１４：ＮＯ）、上述したＳ１２に戻って、Ｓ１２以降の処理を繰り返す。一方、入力事項が正しいと判定したときは（Ｓ１４：ＹＥＳ）、Ｓ１５に進む。
【００２８】
Ｓ１５では、内部メモリ１９の登録ファイル３１において、Ｓ１３で入力された登録番号と同じ値がフィールド３３に既に格納されているレコード３２に対し、Ｓ１２で入力された名前をフィールド３４に上書きで格納するとともに、Ｓ１２で入力された電話番号をフィールド３５に上書きで格納する。
【００２９】
具体的に言えば、Ｓ１２で「Ａさん」の名前と「０１２３４５×××０」の電話番号を入力し、Ｓ１３で「０００」の登録番号を入力した場合には、内部メモリ１９の登録ファイル３１において、「０００」がフィールド３３に既に格納されているレコード３２に対し、「Ａさん」をフィールド３４に上書きで格納するとともに、「０１２３４５×××０」をフィールド３５に上書きで格納する（図４参照）。
【００３０】
その後、Ｓ１６に進むと、名前・電話番号の登録を継続する操作が行われたか否かを判定する。尚、登録継続の操作は、操作部１７を構成するボタンを介してユーザが行う。ここで、登録継続の操作が行われたと判定したときは（Ｓ１６：ＹＥＳ）、上述したＳ１２に戻って、Ｓ１２以降の処理を繰り返す。一方、登録継続の操作が行われていないと判定したときは（Ｓ１６：ＮＯ）、登録ファイル作成処理プログラムを終了する。
【００３１】
このようにして、図７の登録ファイル作成処理プログラムが実行されると、登録ファイル３１のフィールド３３に既に格納されている登録番号で整理しながら、登録ファイル３１のレコード３２のフィールド３４，３５に対して名前・電話番号がそれぞれ格納され、これによって、名前と電話番号とを対応させて記憶させている。
【００３２】
続いて、本実施形態に係る携帯電話機１で行われる不在着信履歴ファイル作成処理プログラムについて図８に基づき説明する。図８は、本実施形態に係る携帯電話機１で行われる不在着信履歴ファイル作成処理プログラムのフローチャートである。尚、本プログラムはＲＯＭ１４に記憶されており、制御部１１により読み出されて実行される。
【００３３】
不在着信履歴ファイル作成処理プログラムでは、図８に示すように、先ず、Ｓ３１において、かかってきた電話に出なかった不在着信であるか否かを判定する。ここで、不在着信でないと判定したときは（Ｓ３１：ＮＯ）、何もすることなく、不在着信履歴ファイル作成処理プログラムを終了する。一方、不在着信であると判定したときは（Ｓ３１：ＹＥＳ）、Ｓ３２に進む。
【００３４】
Ｓ３２では、発信者番号通知により取得した相手の電話番号をＲＡＭ１５に一時的に記憶する。
【００３５】
その後、Ｓ３３に進むと、時計・カレンダー情報部１８により日付・時刻の文字情報からなる日時データを取得してＲＡＭ１５に一時的に記憶する。尚、日時データの時刻については、ここでは、不在着信の着信時刻を取得する。
【００３６】
その後、Ｓ３４に進むと、内部メモリ１９の不在着信履歴ファイル５１において、新たなレコード５２を形成し、この新たに形成されたレコード５２に対し、Ｓ３３で取得された日時データの日付をフィールド５３に格納し、Ｓ３３で取得された日時データの時刻をフィールド５４に格納し、Ｓ３２で取得した相手の電話番号をフィールド５５に格納する。
【００３７】
具体的に言えば、内部メモリ１９の不在着信履歴ファイル５１において、Ｓ３２で「１２３４５６×××１」の電話番号を取得し、Ｓ３３で「１／２０  １２：０１」（１月２０日１２時０１分を意味する文字データ）の日時データを取得したときは、内部メモリ１９の不在着信履歴ファイル５１内で新たに形成したレコード５２に対して、「１／２０」をフィールド５３に格納し、「１２：０１」をフィールド５４に格納し、「１２３４５６×××１」をフィールド５５に格納する（図５参照）。
【００３８】
このようにして、図８の不在着信履歴ファイル作成処理プログラムが実行されると、不在着信履歴ファイル５１のレコード５２のフィールド５３〜５５に対して日付・時刻・電話番号がそれぞれ格納され、これによって、日付と時刻と電話番号とを対応させながら記憶させている。
【００３９】
続いて、本実施形態に係る携帯電話機１で行われる不在着信履歴表示処理プログラムについて図９に基づき説明する。図９は、本実施形態に係る携帯電話機１で行われる不在着信履歴表示処理プログラムのフローチャートである。尚、本プログラムはＲＯＭ１４に記憶されており、制御部１１により読み出されて実行される。
【００４０】
不在着信歴表示処理プログラムでは、図９に示すように、先ず、Ｓ５１において、不在着信の履歴を表示する操作が行われたか否かを判定する。尚、不在着信履歴表示の操作は、操作部１７を構成するボタンを介してユーザが行う。ここで、不在着信履歴表示の操作が行われていないと判定したときは（Ｓ５１：ＮＯ）、何もすることなく、不在着信履歴表示処理プログラムを終了する。一方、不在着信履歴表示の操作が行われたと判定したときは（Ｓ５１：ＹＥＳ）、Ｓ５２に進む。
【００４１】
Ｓ５２では、内部メモリ１９に記憶されている不在着信履歴ファイル５１をＲＡＭ１４に読み出し、その後に、Ｓ５３に進む。
【００４２】
Ｓ５３では、ＲＡＭ１４に読み出した不在着信履歴ファイル５１からイメージ用ファイル６１を作成する。
具体的に言えば、図６に示すように、不在着信履歴ファイル５１のレコード５２及びフィールド５３〜５５に対応させながら、イメージ用ファイル６１のレコード６２及びフィールド６３〜６５を作成（複製）するとともに、「ｉ」又は「検索不可」の文字が格納されるフィールド６６と名前が格納されるフィールド６７を、フィールド６４，６５の間に挿入させる。
【００４３】
その後、Ｓ５４に進むと、イメージ用ファイル６１内の電話番号が内部メモリ１９に記憶されている登録ファイル３１内にあるか否かを判定する。尚、この判定は、イメージ用ファイル６１のフィールド６５と登録ファイル３１のフィールド３５とに格納された各電話番号を照合することにより行う。ここで、イメージ用ファイル６１内の電話番号が登録ファイル３１内にないと判定したときは（Ｓ５４：ＮＯ）、後述するＳ５７に進む。一方、イメージ用ファイル６１内の電話番号が登録ファイル３１内にあると判定したときは（Ｓ５４：ＹＥＳ）、Ｓ５５に進む。
【００４４】
Ｓ５５では、イメージ用ファイル６１と登録ファイル３１の双方に存在する電話番号について、当該電話番号に対応する名前を登録ファイル３１で検索する。尚、この検索は、当該電話番号が格納されたフィールド３５を有するレコード３２のフィールド３４から探し出され、当該電話番号が複数ある場合には連続して行われる。
【００４５】
その後、Ｓ５６に進むと、Ｓ５５で検索された名前をイメージ用ファイル６１に書き込む。尚、この書込は、Ｓ５５で検索対象となった電話番号が格納されたフィールド６５を有するレコード６２のフィールド６７に格納され、当該電話番号が複数ある場合には連続して行われる。
【００４６】
その後、Ｓ５７に進むと、内部メモリ１９に記憶されている登録ファイル３１外の電話番号がイメージ用ファイル６１内にあるか否かを判定する。尚、この判定は、イメージ用ファイル６１のフィールド６５と登録ファイル３１のフィールド３５とに格納された各電話番号を照合することにより行う。ここで、登録ファイル３１外の電話番号がイメージ用ファイル６１内にないと判定したときは（Ｓ５７：ＮＯ）、後述するＳ６４に進む。一方、登録ファイル３１外の電話番号がイメージ用ファイル６１内にあると判定したときは（Ｓ５４：ＹＥＳ）、Ｓ５８に進む。
【００４７】
Ｓ５８では、インターネット上のデータベース・サーバ２００にアクセスし、イメージ用ファイル６１に存在して登録ファイル３１に存在しない電話番号を送信することによって、その電話番号の相手先を示す名前を検索させ、その検索結果を受信する。尚、このインターネット上のデータベース・サーバ２００における検索は、当該電話番号が複数ある場合には連続して行われる。
【００４８】
その後、Ｓ５９に進むと、インターネット上のデータベース・サーバ２００からの検索結果に名前が含まれているか否かを判定する。ここで、インターネット上のデータベース・サーバ２００からの検索結果に名前が含まれていないと判定したときは（Ｓ５９：ＮＯ）、後述するＳ６２に進む。一方、インターネット上のデータベース・サーバ２００からの検索結果に名前が含まれていると判定したときは（Ｓ５９：ＹＥＳ）、Ｓ６０に進む。
【００４９】
Ｓ６０では、Ｓ５８で検索された名前をイメージ用ファイル６１に書き込む。尚、この書込では、Ｓ５８で検索対象となった電話番号が格納されたフィールド６５を有するレコード６２のフィールド６７にその名前が格納されるとともに、インターネット上での検索結果であることを示す「ｉ」の文字がフィールド６６に格納され、当該電話番号が複数ある場合には連続して行われる。
【００５０】
具体的に言えば、Ｓ５８において、「８７６５４３□□□８」の電話番号をインターネット上のデータベース・サーバ２００に送信し、「○○銀行△△支店」の名前を含んだ検索結果が送信されたときは、図６１に示すように、「８７６５４３□□□８」が格納されたフィールド６５を有するレコード６２のフィールド６７に「○○銀行△△支店」が格納されるとともに、インターネット上での検索結果であることを示す「ｉ」の文字がフィールド６６に格納される。
【００５１】
その後、Ｓ６２に進むと、インターネット上のデータベース・サーバ２００からの検索結果に名前が含まれていないか否かを判定する。ここで、インターネット上のデータベース・サーバ２００からの検索結果に名前が含まれていると判定したときは（Ｓ６２：ＮＯ）、後述するＳ６４に進む。一方、インターネット上のデータベース・サーバ２００からの検索結果に名前が含まれていないと判定したときは（Ｓ６２：ＹＥＳ）、Ｓ６３に進む。
【００５２】
Ｓ６３では、インターネット上での検索で名前が探し出されなかったことを示す「検索不可」の文字をイメージ用ファイル６１に書き込む。尚、この書込では、Ｓ５８で検索対象となった電話番号が格納されたフィールド６５を有するレコード６２のフィールド６６に「検索不可」の文字が格納され、当該電話番号が複数ある場合には連続して行われる。
【００５３】
具体的に言えば、Ｓ５８において、「９８７６５４□□□２」の電話番号をインターネット上のデータベース・サーバ２００に送信し、名前を含んでいない検索結果が送信されたときは、図６に示すように、「９８７６５４□□□２」が格納されたフィールド６５を有するレコード６２のフィールド６６に、インターネット上での検索で名前が探し出されなかったことを示す「検索不可」の文字が格納される。
【００５４】
その後、Ｓ６４に進むと、イメージ用ファイル６１に基づく不在着信履歴の表示が行われ、その後に、不在着信履歴表示処理プログラムを終了する。
具体的言えば、ＲＡＭ１４に作成されたイメージ用ファイル６１に基づいて、図１に示すように、イメージバッファ７１上にイメージデータが格納されることにより、表示部１６のＬＣＤドライバを介して、表示部１６のＬＣＤの表示枠１６Ｅ内に不在着信履歴が文字で表示される。尚、不在着信履歴においては、順番を示す番号（「１」、「２」、…）を付加するとともに、日付と時刻と「ｉ」又は「検索不可」の文字と名前と電話番号とを組み合わせた状態で、不在着信とされた電話の履歴を示している。この点、図１や図６に示すように、インターネット上での検索で名前が探し出されなかったものについては、「検索不可」の文字が表示される一方で名前は表示されない。
【００５５】
以上より、制御部１１は、図９に示す不在着信履歴表示処理プログラムのＳ５４を実行して、イメージ用ファイル６１内の電話番号が内部メモリ１９に記憶されている登録ファイル３１内にあると判定したり（Ｓ５４：ＹＥＳ）、図９に示す不在着信履歴表示処理プログラムのＳ５７を実行して、内部メモリ１９に記憶されている登録ファイル３１外の電話番号がイメージ用ファイル６１内にないと判定する際には（Ｓ５７：ＮＯ）、「判定手段」として機能する。
【００５６】
また、制御部１１は、図９に示す不在着信履歴表示処理プログラムのＳ５５を実行して、イメージ用ファイル６１と登録ファイル３１の双方に存在する電話番号について、当該電話番号に対応する名前を登録ファイル３１で検索する際は、「内部検索手段」として機能する。
【００５７】
また、制御部１１は、図９に示す不在着信履歴表示処理プログラムのＳ５８を実行して、インターネット上のデータベース・サーバ２００にアクセスし、イメージ用ファイル６１に存在して登録ファイル３１に存在しない電話番号を送信することによって、その電話番号の相手先を示す名前を検索させ、その検索結果を受信する際には、「通信手段」として機能する。
【００５８】
また、制御部１１は、図９に示す不在着信履歴表示処理プログラムのＳ６４を実行して、イメージ用ファイル６１に基づく不在着信履歴を表示部１６のＬＣＤの表示枠１６Ｅ内で表示した際には、「不在着信表示手段」として機能する。
また、制御部１１は、図９に示す不在着信履歴表示処理プログラムのＳ５１を実行して、操作部１７を構成するボタンを介した不在着信履歴表示の操作が行われたと判断した際には（Ｓ５１：ＹＥＳ）、「操作手段」として機能する。
【００５９】
以上詳細に説明したように、本実施の形態に係る携帯電話機１では、図４に示すように、電話番号と名前が対応しながら登録ファイル３１に予め登録される一方で（Ｓ１５）、図５に示すように、発信者番号通知があった不在着信の電話番号は、日付・時刻に対応させながら不在着信履歴ファイル５１に記憶している（Ｓ３４）。そして、不在着信履歴表示の操作がなされると（Ｓ５１：ＹＥＳ）、不在着信の電話番号が登録ファイル３１内にある場合には（Ｓ５４：ＹＥＳ）、登録ファイル３１から当該電話番号に対応する名前を探し出し（Ｓ５５）、不在着信の電話番号が登録ファイル３１内にない場合には（Ｓ５７：ＹＥＳ）、インターネット上でアクセスしたデータベース・サーバ２００から当該電話番号に対応する名前を探し出す（Ｓ５８）。その後は、図１に示すように、探し出された名前を当該電話番号とともに不在着信履歴に表示する（Ｓ６４）。従って、登録ファイル３１に登録されていない名前の相手先から発信者番号通知を伴う不在着信があっても、不在着信の履歴表示の際に判明できるケースが多くなり、不在着信の履歴表示に基づいてかけられた電話のトラブルを未然に防ぐ実効性が高くなる。
【００６０】
尚、本発明は上記実施の形態に限定されるものでなく、その趣旨を逸脱しない範囲で様々な変更が可能である。
例えば、インターネット上のデータベース・サーバ２００に電話番号を送信することにより探し出された名前は、自動的に、又は、表示部１６のＬＣＤの表示枠１６Ｅ内に表示される確認画面で確認しながら、当該電話番号に対応させた状態で登録ファイル３１内に登録されるようにしてもよい。
【００６１】
また、本実施の形態に係る携帯電話機１では、登録ファイル３１内にない電話番号に対応する名前をインターネット上のデータベース・サーバ２００で探し出す時点を（Ｓ５８）、不在着信履歴表示の操作がなされた後（Ｓ５１：ＹＥＳ）にしているが、そのタイミングは限定されるものではなく、不在着信があったとき（Ｓ３１：ＹＥＳ）からその不在着信の履歴表示がなされるとき（Ｓ６４）までであればよい。
【００６２】
但し、不在着信があったとき（Ｓ３１：ＹＥＳ）から図９に示す不在着信履歴表示処理プログラムを実行する前に、登録ファイル３１内にない電話番号に対応する名前をインターネット上のデータベース・サーバ２００で探し出す場合には、その探し出された名前は、不在着信履歴ファイル５１やイメージ用ファイル６１において当該電話番号に対応するように記憶しておく必要がある。
【産業上の利用可能性】
【００６３】
本発明は、携帯電話機における不在着信の履歴を表示する技術に適用し得る。
【図面の簡単な説明】
【００６４】
【図１】本実施形態に係る携帯電話機のイメージ用ファイルのイメージデータが格納されたイメージバッファの一例を示した図である。
【図２】本実施形態に係る携帯電話機の通信システムを示したブロック図である。
【図３】本実施形態に係る携帯電話機を示したブロック図である。
【図４】本実施形態に係る携帯電話機の登録ファイルの一例を示した図である。
【図５】本実施形態に係る携帯電話機の不在着信履歴ファイルの一例を示した図である。
【図６】本実施形態に係る携帯電話機の不在着信履歴ファイルから作成されたイメージ用ファイルの一例を示した図である。
【図７】本実施形態に係る携帯電話機で行われる登録ファイル作成処理プログラムのフローチャートである。
【図８】本実施形態に係る携帯電話機で行われる不在着信履歴ファイル作成処理プログラムのフローチャートである。
【図９】本実施形態に係る携帯電話機で行われる不在着信履歴表示処理プログラムのフローチャートである。
【符号の説明】
【００６５】
１  携帯電話機
１１  制御部
１６  表示部
１７  音声部
１９  内部メモリ
３１  登録ファイル
５１  不在着信履歴ファイル
２００  外部データベース・サーバ
Ｎ  ネットワーク
【図１】
2006295633.tif 000003
【図２】
2006295633.tif 000004
【図３】
2006295633.tif 000005
【図４】
2006295633.tif 000006
【図５】
2006295633.tif 000007
【図６】
2006295633.tif 000008
【図７】
2006295633.tif 000009
【図８】
2006295633.tif 000010
【図９】
2006295633.tif 000011